(57)【要約】【課題】使用時の外観形状が見栄え良いし、薬効継続時間を長くしたり、あるいは異なる薬効を発揮できるようにする。【解決手段】支持体１０に、ハニカム構造の薬剤保持体２０を２つ折り状態の時には重合形状、展開状態の時には立体形状となるように取付けた主薬剤揮散器１と、この主薬剤揮散器１に取付け、取外し自在に取付けられ使用時には立体形状の薬剤保持体２０で囲まれ補助薬剤２より成る簡易型薬剤揮散器で、使用時の外観形状を薬剤保持体２０によって見栄え良くできるし、補助薬剤の薬効を薬剤保持体２０に保持した薬剤と同じにすれば薬効継続時間が長くなり、異なるものとすれば異なる薬効を発揮できる。【選択図】      図３
2005006999.tif 000002
【特許請求の範囲】
【請求項１】
主薬剤揮散器１と、補助薬剤２を備えた簡易型薬剤揮散器であって、
前記主薬剤揮散器１は、２つ折り状態と展開状態に変位可能な支持体１０に、重合形状と立体形状に折り畳み、拡開自在で揮散性の薬剤を保持した薬剤保持体２０を、支持体１０が２つ折り状態の時に薬剤保持体２０が重合形状、支持体１０が展開状態の時に薬剤保持体２０が立体形状となるように取付けたもので、
前記補助薬剤２は、その揮散性薬剤が立体形状の薬剤保持体２０で囲まれるように、主薬剤揮散器１に着脱可能に取付けてあることを特徴とする簡易型薬剤揮散器。
【請求項２】
支持体１０は補助薬剤挿入用穴１０ａを有し、薬剤保持体２０は補助薬剤挿入用穴１０ａと対向した補助薬剤収容用凹陥部２２を有し、
補助薬剤２の揮散性薬剤が、補助薬剤挿入用穴１０ａから補助薬剤収容用凹陥部２２に収容されている請求項１記載の簡易型薬剤揮散器。
【請求項３】
補助薬剤２は、２つ折り状態と展開状態に変位可能な取付体３０に、重合形状と立体形状に折り畳み、拡開自在で揮散性の薬剤を保持した薬剤保持体４０を、取付体３０が２つ折り状態の時に薬剤保持体４０が重合形状、取付体３０が展開状態の時に薬剤保持体４０が立体形状となるように取付けたもので、
その取付体３０を支持体１０に、支持体１０とともに取付体３０が２つ折り状態、展開状態に変位すると共に、薬剤保持体４０が補助薬剤挿入用穴１０ａから補助薬剤収容用凹陥部２２に収容されるように取付た請求項２記載の簡易型薬剤揮散器。
【請求項４】
補助薬剤２は、薬効を有する製剤単体２ａより成り、この製剤単体２ａが補助薬剤挿入用穴１０ａから補助薬剤収容用凹陥部２２に収容されている請求項２記載の簡易型薬剤揮散器。
【請求項５】
補助薬剤２は、液状薬剤を収容した容器６０に吸液芯６１を設けたもので、その容器６０が補助薬剤収容用凹陥部２２に収容されている請求項２記載の簡易型薬剤揮散器。
【発明の詳細な説明】
【０００１】
【発明の属する技術分野】
本発明は、主として室内や車内において使用され、ファンやヒータ等を用いずに自然に薬剤を気中に揮散する簡易型薬剤揮散器に関する。
【０００２】
【従来の技術】
特許文献１に、立体形状に展開可能なハニカム材に揮散性の薬剤（消臭剤）を添着した薬剤揮散器が開示されている。
この薬剤揮散器は、ファンやヒータなどを用いずに自然に薬剤を気中に揮散するものであるから、簡易型薬剤揮散器の一種である。
しかも、ハニカム材を立体形状に展開して使用するので、使用時の外観形状を見栄え良くできる。
【０００３】
特許文献２には、立体形状に展開できるハニカム構造の薬剤保持体を、折り畳み自在な支持体に取付け、その支持体を展開状態とすることで薬剤保持体を立体形状とし、自然に薬剤を気中に揮散、または、その薬剤保持体の内部にファンを設置し、ファンを駆動して薬剤を気中に揮散する薬剤揮散装置が開示されている。
【０００４】
【特許文献１】
実公平３−１４１９１号公報
【特許文献２】
特開２０００−１８９０３２号公報
【０００５】
【発明が解決しようとする課題】
前述したように、立体形状に展開できるハニカム構造体に薬剤を保持させ、その保持した薬剤を気中に揮散するようにしたものは、その使用時の外観形状を見栄え良くできるが、その反面、薬剤を継続して揮散する時間が短く使用期間が短い、ハニカム構造体に保持した薬剤による薬効のみであって、異なる薬効が得られない。
【０００６】
本発明は、前述の課題に鑑みなされたもので、その目的は、薬効継続時間を延ばし使用期間を長くしたり、あるいは異なる薬効が得られるようにした使用時の外観形状が見栄え良い簡易型薬剤揮散器を提供することである。
【０００７】
【課題を解決するための手段】
第１の発明は、主薬剤揮散器１と、補助薬剤２を備えた簡易型薬剤揮散器であって、
前記主薬剤揮散器１は、２つ折り状態と展開状態に変位可能な支持体１０に、重合形状と立体形状に折り畳み、拡開自在で揮散性の薬剤を保持した薬剤保持体２０を、支持体１０が２つ折り状態の時に薬剤保持体２０が重合形状、支持体１０が展開状態の時に薬剤保持体２０が立体形状となるように取付けたもので、
前記補助薬剤２は、その揮散性薬剤が立体形状の薬剤保持体２０で囲まれるように、主薬剤揮散器１に着脱可能に取付けてあることを特徴とする簡易型薬剤揮散器である。
【０００８】
第２の発明は、第１の発明において支持体１０は補助薬剤挿入用穴１０ａを有し、薬剤保持体２０は補助薬剤挿入用穴１０ａと対向した補助薬剤収容用凹陥部２２を有し、
補助薬剤２の揮散性薬剤が、補助薬剤挿入用穴１０ａから補助薬剤収容用凹陥部２２に収容されている簡易型薬剤揮散器である。
【０００９】
第３の発明は、第２の発明において補助薬剤２は、２つ折り状態と展開状態に変位可能な取付体３０に、重合形状と立体形状に折り畳み、拡開自在で揮散性の薬剤を保持した薬剤保持体４０を、取付体３０が２つ折り状態の時に薬剤保持体４０が重合形状、取付体３０が展開状態の時に薬剤保持体４０が立体形状となるように取付けたもので、
その取付体３０を支持体１０に、支持体１０とともに取付体３０が２つ折り状態、展開状態に変位すると共に、薬剤保持体４０が補助薬剤挿入用穴１０ａから補助薬剤収容用凹陥部２２に収容されるように取付た簡易型薬剤揮散器である。
【００１０】
第４の発明は、第２の発明において補助薬剤２は、薬効を有する製剤単体２ａより成り、この製剤単体２ａが補助薬剤挿入用穴１０ａから補助薬剤収容用凹陥部２２に収容されている簡易型薬剤揮散器である。
【００１１】
第５の発明は、第２の発明において補助薬剤２は、液状薬剤を収容した容器６０に吸液芯６１を設けたもので、その容器６０が補助薬剤収容用凹陥部２２に収容されている簡易型薬剤揮散器である。
【００１２】
【作  用】
第１の発明によれば、主薬剤揮散器１の薬剤保持体２０を立体形状として使用するから、その薬剤保持体２０を見栄えの良い外観形状とすることができる。
また、補助薬剤２の揮散性薬剤は、使用状態において薬剤保持体２０で囲まれ、直接目視されないし、薬剤保持体２０の外観を見苦しくすることがない。
よって、これらが相俟って、使用時の外観形状が見栄え良い簡易型薬剤揮散器とすることができる。
【００１３】
また、薬剤保持体２０の保持した薬剤と補助薬剤２の揮散性薬剤を同一の薬効を発揮するものとすれば、その薬効を補強したり、長時間薬効を継続して長期間使用できる。
【００１４】
また、前述の薬剤保持体２０の保持した薬剤と補助薬剤２の揮散性薬剤を異なる薬効を発揮するものとすれば、異なる薬効を発揮する簡易薬剤揮散器とすることができる。
【００１５】
第２の発明によれば、補助薬剤２を取外した状態で、主薬剤揮散器１の補助薬剤挿入用穴１０ａから補助薬剤収容用凹陥部２２に薬剤を供給することで、その薬剤保持体２０に薬剤を保持できる。
よって、主薬剤揮散器１の製造時や、使用後に、薬剤保持体２０に薬剤を簡単に保持することができるので、その薬剤保持体２０を繰り返して使用することができる。
【００１６】
第３の発明によれば、補助薬剤２の薬剤保持体４０は主薬剤揮散器１の薬剤保持体２０とともに重合形状、立体形状に折り畳み、拡開するので、運搬・保管時などには各薬剤保持体２０，４０を重合形状として全体をコンパクトにできるし、使用時には各薬剤保持体２０，４０を立体形状として空気の接する面積を大とし、スムーズに薬剤を自然に気中に揮散することができる。
【００１７】
第４の発明によれば、補助薬剤２が薬効を有する製剤単体２ａより成るので、主薬剤揮散器１に簡単に取付けできるし、小型コンパクトな補助薬剤２でありながら薬効継続時間を長くすることができる。
【００１８】
第５の発明によれば、補助薬剤２が吸液芯６１を有する容器６０で、薬剤の揮散状況が容器６０内の薬剤の減少状態で目視で確認できる。
【００１９】
【発明の実施の形態】
図１と図２に示すように、主薬剤揮散器１と、この主薬剤揮散器１に取付け、取外し自在、つまり着脱可能な補助薬剤２で簡易型薬剤揮散器を構成する。
前記主薬剤揮散器１は、支持体１０と、この支持体１０に取付けた薬剤保持体２０と、この薬剤保持体２０が保持した揮散性の薬剤を備えている。
前記支持体１０は、２つ折り状態、例えば図１に示す２つ折り状態と展開状態、例えば図３に示す１８０度展開状態に変位する。
前記薬剤保持体２０は、図３に示すように伸縮自在な多数のセル２１を有するハニカム構造で、その各セル２１が重ね合わせられて押しつぶされた重合形状、例えば図１に示す形状と、各セル２１が拡開した立体形状、例えば図３に示すほぼ半球形状に折り畳み拡開自在である。
【００２０】
前記薬剤保持体２０は支持体１０に、その支持体１０が２つ折り状態の時に薬剤保持体２０が重合形状、支持体１０が展開状態の時に薬剤保持体２０が立体形状となるように取付けてある。
【００２１】
前記補助薬剤２は、揮散性薬剤を備え、主薬剤揮散器１に、その揮散性薬剤が立体形状の薬剤保持体２０で囲まれるように取付けられる。
つまり、主薬剤揮散器１に補助薬剤２が、使用状態の時に揮散性薬剤を薬剤保持体２０で囲むように取付けられる。
例えば、図１と図３に示すように、支持体１０に補助薬剤挿入用穴１０ａを形成し、薬剤保持体２０には補助薬剤挿入用穴１０ａと対向した補助薬剤収容用凹陥部２２を形成する。
そして、補助薬剤２は、その揮散性薬剤が補助薬剤挿入用穴１０ａから補助薬剤収容用凹陥部２２内に収容されるように取付けられる。
【００２２】
このようであるから、主薬剤揮散器１の薬剤保持体２０を立体形状として使用するから、見栄えの良い外観形状とすることができる。
また、薬剤保持体２０の保持した薬剤と補助薬剤２の揮散性薬剤を同一の薬効を発揮するものとすれば、その薬効を補強したり、長時間薬効を継続して長期間使用できる。
しかも、前述の薬剤保持体２０の保持した薬剤と補助薬剤２の揮散性薬剤を異なる薬効を発揮するものとすれば、異なる薬効を発揮する簡易薬剤揮散器とすることができる。
例えば、害虫を防除する場面で侵入飛翔害虫の殺虫と侵入防止（忌避）ができる。また、消臭する場面で香り、害虫防除と消臭ができる。
さらに、前記補助薬剤２の揮散性薬剤は、使用状態において薬剤保持体２０で囲まれ、直接目視されないし、薬剤保持体２０の外観を見苦しくすることがなく、見栄えの良い外観形状とすることができる。
【００２３】
また、製造時や使用後に、主薬剤揮散器１の補助薬剤挿入用穴１０ａから補助薬剤収容用凹陥部２２に薬剤を供給することで、その薬剤保持体２０に薬剤を保持できる。
【００２４】
次に、各部材の具体形状の一例を説明する。
前記、支持体１０は第１板状体１１と、第２板状体１２と、この第１板状体１１と第２板状体１２に亘って一体的に設けられた折り曲げ用連結片１３を備えた板状で、図１と図２に示す２つ折り状態から第１・第２板状体１１，１２を矢印ａ方向に動かして図３に示す１８０度に展開した状態に変位できる。なお図３に示す１８０度に展開した状態から第１・第２板状体１１，１２を矢印ｂ方向に動かすことで、その第１・第２板状体１１，１２が接した３６０度に展開した状態に変位することも可能である。
【００２５】
そして、運搬、保管時等には図１に示す２つ折り状態とし、使用時には図３に示す展開状態とする。
なお、図３に示す１８０度の展開状態の場合には、その支持体１０をテーブル等に載置して使用したり、壁に吊り下げて使用する。
また、３６０度の展開状態の場合には、その支持体１０を壁等に吊り下げて使用する。
【００２６】
この実施の形態では第１・第２板状体１１，１２は、ほぼ半円形状の板１１ａ，１２ａと、その円弧状面に一体的に設けた取手片１１ｂ，１２ｂを有し、その半円形状の板１１ａ，１２ａの直線状面が折り曲げ用連結片１３で一体的に連結されている。
そして、前記取手片１１ｂ，１２ｂを持って前述したように２つ折り状態、１８０度展開状態、３６０度展開状態に変位できるようにしてある。
よって、支持体１０を容易に各状態に変位することができる。
なお、展開状態は１８０度、３６０度に限ることはなく、任意の角度に展開できることは勿論である。
【００２７】
前記薬剤保持体２０は、第１・第２板状体１１，１２のほぼ半円形状の板１１ａ，１２ａの対向面に跨って取付け、例えば接着してある。
そして、支持体１０を２つ折り状態とすることで前述のように薬剤保持体２０は重合形状となり、主薬剤揮散器１がコンパクトになる。
また、薬剤保持体２０が支持体１０で被覆される。
よって、主薬剤揮散器１の運搬、保管が容易であるし、取り扱う時に薬剤保持体２０に人の手が触れることがないから、薬剤が人の手に付着しない。
【００２８】
また、支持体１０が展開状態であると薬剤保持体２０が立体形状で、多数のセル２１が拡開しているので、薬剤保持体２０の空気と触れる面積が大きく、保持した薬剤がスムーズに揮散する。
【００２９】
前記支持体１０は、表面に薬剤が付着し難いことが好ましい。
例えば、合成樹脂製の支持体、紙製で表面に樹脂膜などをコーティングした支持体。
前記薬剤保持体２０は、紙、不織布、織物、フィルムなどを挙げることができ、使用する薬剤を保持もしくは含浸するものであれば全て使用可能であり、有効成分や製剤に応じて適宜選択すればよい。
また、形状を維持するため、コシの強い材質を選択、あるいはガスバリア性のフィルムやアルミ箔などをラミネートする、など方法を採用する。
【００３０】
この実施の形態では、支持体１０を図１に示す２つ折り状態に保持する保持手段を備えている。
例えば、図３と図４に示すように第１・第２板状体１１，１２の取手片１１ｂ，１２ｂに雄係止部１４と雌係止部１５を設け、この雄係止部１４と雌係止部１５を図４に示すように嵌合しながら係止することで支持体１０の第１・第２板状体１１，１２を２つ折り状態に保持する。
この保持手段によれば、雄係止部１４と雌係止部１５の嵌合長さを変えることで、第１板状体１１と第２板状体１２の間隔を調整できる。
なお、各取手片１１ｂ，１２ｂの端部に相互に係止する係止片を設けて保持手段としても良い。また、ゴムバンドなどを保持手段としても良い。
【００３１】
前記折り曲げ用連結片１３の長手方向中間部、好ましくは長手方向中央部に切欠部１６を形成すると共に、第１・第２板状体１１，１２に切欠部１６と連続して切欠部１７，１８を形成することで、前述の補助薬剤挿入用穴１０ａとしてある。
前記薬剤保持体２０の一端面２０ａにおける補助薬剤挿入用穴１０との対向した部分が切欠きされて補助薬剤収容用凹陥部２２を形成している。
【００３２】
前記補助薬剤２は、この実施の形態では取付体３０と、薬剤保持体４０と、その薬剤保持体４０に保持した揮散性の薬剤を備え、その揮散性の薬剤を保持した薬剤保持体４０が前述の揮散性薬剤である。
前記取付体３０は、前述の支持体１０と同様に２つ折り状態と展開状態に変位可能な板状である。
例えば、第１板状体３１と第２板状体３２を折り曲げ用連結片３３で一体的に連結した形状で、図１、図２に示す２つ折り状態と図３に示す１８０度展開状態に変位する。
【００３３】
前記薬剤保持体４０は、図３に示すように、伸縮自在な多数のセル４１を有するハニカム構造で、図１、図２に示すように多数のセル４１が重なり合う重合形状と、図３に示すように多数のセル４１が拡開した立体形状、例えばほぼ半球形状に拡開、折り畳み自在である。
この薬剤保持体４０は取付体３０の内面、例えば第１・第２板状体３１，３２の対向面に跨って取付け、例えば接着してある。
そして、取付体３０が２つ折り状態であると薬剤保持体４０が重合形状、取付体３０が展開状態であると薬剤保持体４０が立体形状である。
【００３４】
前記取付体３０は、表面に薬剤が付着し難いことが好ましい。
例えば、合成樹脂製の支持体、紙製で表面に樹脂膜などをコーティングした取付体。
前記薬剤保持体４０は、紙、不織布、織物、フィルムなどを挙げることができ、使用する薬剤を保持もしくは含浸するものであれば全て使用可能であり、有効成分や製剤に応じて適宜選択すればよい。
また、形状を維持するため、コシの強い材質を選択、あるいはガスバリア性のフィルムやアルミ箔などをラミネートする、など方法を採用する。
【００３５】
前記取付体３０は、支持体１０に取付け、取外し自在に取付けられ、前記薬剤保持体４０は、支持体１０の補助薬剤挿入用穴１０ａから補助薬剤収納用凹陥部２２に収容される。
例えば、補助薬剤２の第１・第２板状体３１，３２、折り曲げ用連結片３３は、主薬剤揮散器１の支持体１０の第１・第２板状体１１，１２、折り曲げ用連結片１３よりもそれぞれ大きく、２つ折り状態で補助薬剤２の第１・第２板状体３１，３２が主薬剤揮散器１の第１・第２板状体１１，１２を挟持すると共に、折り曲げ用連結片３３が折り曲げ用連結片１３に接する。
前記補助薬剤２の薬剤保持体４０は取付体３０よりも小さく、支持体１０の補助薬剤挿入用穴１０ａから薬剤保持体２０の補助薬剤収容用凹陥部２２内に収容される。
【００３６】
なお、補助薬剤２を強固に取付けするには、その取付体３０と支持体１０を粘着テープで固定したり、取付体３０を第１・第２板状体３１，３２が接触する方向に弾性的に付勢されたものとし、その第１・第２板状体３１，３２が第１・第２板状体１１，１２に強く接するようにしても良い。
【００３７】
前述の構成とすることで、使用状態において各薬剤保持体２０，４０が立体形状となり、その空気と触れる面積が大きいからスムーズに薬剤を気中に揮散できる。
また、運搬、保管時には支持体１０、取付体３０を２つ折り状態とすることによって各薬剤保持体２０，４０が重合形状となるから、全体がコンパクトである。
【００３８】
また、補助薬剤２を取外した状態においては薬剤保持体２０の補助薬剤収容用凹陥部２２が支持体１０の補助薬剤収容用穴１０ａから外部に開口するので、薬剤供給手段によって補助薬剤収容用穴１０ａから薬剤を薬剤保持体２０に供給することができ、それによって、その薬剤保持体２０に薬剤を保持することができる。
よって薬剤を保持しない薬剤保持体２０を支持体１０に取付け、その後に薬剤保持体２０に薬剤を保持できるから、主薬剤揮散器１の製造時に薬剤保持体２０に薬剤を簡単に保持できる。
また、使用により薬剤保持体２０から薬剤が揮散した場合に、その薬剤保持体２０に薬剤を簡単に保持できる。
【００３９】
前述の供給する薬剤の形態は、有効成分を含んだ液状薬剤、有効成分を含んだジェル状、ゲル状の半固形状薬剤、有効成分を含んだ粉粒などの固形状薬剤などの製剤が挙げられる。好ましくは、薬剤保持体２０への保持速度が速いことから有効成分を含んだ液状薬剤の製剤である。
また、液状薬剤を供給する仕方としては、滴下、噴霧、接触付着（塗布）等が挙げられるが、これに限ることはない。
【００４０】
例えば図５に示すように支持体１０を２つ折り状態として補助薬剤挿入用穴１０ａが上向きとなるようにし、薬剤供給手段５０、例えばノズル５１を備えた容器５２を補助薬剤挿入用穴１０ａの上方に位置し、そのノズル５１で液状の薬剤５３を補助薬剤挿入用穴１０ａから薬剤保持体２０に滴下することで、その薬剤が含浸して保持される。
【００４１】
この時、支持体１０を完全に２つ折りした状態から若干展開して薬剤保持体２０が完全に重合した形状から若干拡開した形状として薬剤保持体２０の多数のセル２１が若干拡開した状態とする。例えば、保持手段によって第１板状体１１と第２板状体１２の間隔を調整して若干広くする。
このようにすることで、薬剤が薬剤保持体２０に保持（含浸）し易くなる。
【００４２】
前述の補助薬剤２は、薬効を有する揮散性の製剤単体より成るものとし、その製剤単体を主薬剤揮散器１に取付けて、使用時に製剤単体（つまり、揮散性薬剤）が薬剤保持体２０で囲まれるようにしても良い。
例えば、揮散性薬剤を固形とした固形状製剤、揮散性薬剤をジェル状、ゲル状とした半固形状製剤、揮散性薬剤を含有した昇華性固形製剤、効能を有する昇華性物質等の薬効を有する揮散性の製剤単体を、取付体３０に設け、その取付体３０を支持体１０に取付け、取外し自在に取付けしたり、その製剤単体を支持体１０に取付け・取外し自在に取付けする。
【００４３】
具体的には、図６と図７に示すように支持体１０の折り曲げ用連結片１３の一部分、好ましくは長手方向中央部を切り起こして補助薬剤挿入用穴１０ａを形成すると共に、その穴を開閉する蓋１３ａとする。
この蓋１３ａに薬剤を有する揮散性の薬剤単体２ａを取付け、取外し自在に取付ける。
そして、蓋１３ａで穴１０ａを閉じると図７に示すように、前述の製剤単体２ａが薬剤保持体２０の補助薬剤収容用凹陥部２２内に収容され、図８に示す使用状態において立体形状の薬剤保持体２０で製剤単体２ａが囲まれるようにする。
なお、前述の蓋１３ａを設けずに、折り曲げ用連結片１３に着脱自在な取付体３０を形成し、この取付体３０に前述の製剤単体２ａを取付けても良い。
【００４４】
前記補助薬剤２は、薬効を有する有効成分を含有する液状薬剤を含浸体に含ませたものでも良いし、その含浸体を取付体、例えば前述の蓋１３ａに着脱自在に取付けたものでも良い。
前述の含浸体としては、紙、不織布、織物、綿、樹脂、木材などの材料を、ジャバラ形状、スノコ形状、糸束形状、スポンジ形状などに加工したものが挙げられる。
【００４５】
また、前記補助薬剤２は、吸液芯を有する液状薬剤を収容した容器とすることもできる。
例えば、図９に示すように、容器６０に液状薬剤を収容すると共に、その容器６０に吸液芯６１の下部を挿入し、かつその吸液芯６１の上部を容器６０から突出する。
この場合には、容器６０を補助薬剤収容用凹陥部２２に収容する。例えば容器６０を蓋１３ａに着脱自在に取付けると共に、その吸液芯６１を補助薬剤収容用凹陥部２２に突出して収容する。
【００４６】
このようにすれば、薬剤の揮散状況が容器６０内の薬剤減少状態を目視で確認できる。
例えば、容器６０を薬剤量を目視できるように透明、半透明としたり、目盛部分を有するものとすれば、容器６０を見ることで薬剤減少状態を確認できる。また、吸液芯６１を外すことで容器６０内を見ることでも薬剤減少状態を確認できる。
【００４７】
前記吸液芯６１としては、タルク、シリカ、マイカなどの無機物質や木粉、合成樹脂などの有機物質を粘結剤と各種形状に成型したもの、紙、パルプ、ポリエステル、ポリプロピレン、レーヨンなど材料による各種繊維で円柱、角柱、板状などの形状に加工したもの、またその糸状、布状などを束ねたものなどが挙げられる。
【００４８】
前記薬剤としては、従来より殺虫、防虫、忌避、害虫成長制御、などを目的として用いられている常温揮散性薬剤、または防虫・防黴剤、香料、消臭剤、機能性植物油などの常温揮散性薬剤が挙げられる。これらの単剤、または複合剤として用いる。
また、製剤化において、前記有効成分に、酸化防止剤、紫外線吸収剤、揮散調製剤、着色剤、などを必要に応じて適宜使用する。さらに、液剤の調製に、溶剤、界面活性剤など、エアゾールの調製に、溶剤、高圧ガスなど、ゲル剤の調製に、溶剤、ゲル化剤など、固形剤の調製に、溶剤、増量剤、昇華剤など、を使用する。
【００４９】
前記薬剤（つまり、有効成分）の有効期間の確認方法については、公知技術を採用し、ハニカム構造の薬剤保持体２０及び薬剤に付与したり、または、補助薬剤２の薬剤保持体４０や製剤単体２ａに付与したり、あるいは別にインジケータ用具を具備し、使用終点や薬剤の処理時期を確認する。また、補給する薬剤や製剤にも供することで次の薬剤の処理時期を確認する。
公知技術の中でも、色変、消失など目視で確認できる方が分かりやすく好ましい。
例えば、それ自体が昇華し経時的に消失する昇華性物質をインジケーターとして使用する。昇華性物質としては、アダマンタン、シクロドデカン、ノルボルナン、トリメチルノルボルナン、樟脳、メントール、などが例示でき、これを微粒剤、顆粒、錠剤、等形状に成形したものを使用する。
色変物質を利用したものをインジケータとして使用する。
その１つとして、電子供与性呈色化合物、顕色剤、減感剤からなる可変色色素を担持体に含浸したものは、減感剤、又は顕色剤に用いた揮散性薬剤が揮散し、残存率が減少することで電子供与性呈色化合物と顕色剤との反応が開始し呈色を生起し、担持体の色調が変化する。色調として、赤、黒、青、緑、紫、橙、黄、茶、など多くの色が可能であり、前記３成分の選定、組合せ等によって希望する色調、色濃度、色変時期を得ることができる。
また、油溶性の色素や染料の採用により、例えば、色素等を揮散性薬剤に溶解させ、色素等と親和性のない担持体に保持することにより揮散に伴い色彩の減色を確認する。
水筆法の原理をインジケーターとして使用することができる。
水筆法とは、例えば、着色した紙材などの担持体に揮散性薬剤を含浸すると共に表面に酸化チタンの微粒子を付着させ、該薬剤の消失に伴い着色した元の色から酸化チタンの白色に変色させる方法である。着色した紙材として、赤、橙、黄、緑、青、藍、紫、白、黒、グレーなど彩色が挙げられ、色変化、文字や模様などの表示で確認できる。
【００５０】
【発明の効果】
請求項１に係る発明によれば、主薬剤揮散器１の薬剤保持体２０を立体形状として使用するから、その薬剤保持体２０を見栄えの良い外観形状とすることができる。
また、補助薬剤２の揮散性薬剤は、使用状態において薬剤保持体２０で囲まれ、直接目視されないし、薬剤保持体２０の外観を見苦しくすることがない。
よって、これらが相俟って、使用時の外観形状が見栄え良い簡易型薬剤揮散器とすることができる。
【００５１】
また、薬剤保持体２０の保持した薬剤と補助薬剤２の揮散性薬剤を同一の薬効を発揮するものとすれば、その薬効を補強したり、長時間薬効を継続して長期間使用できる。
【００５２】
また、前述の薬剤保持体２０の保持した薬剤と補助薬剤２の揮散性薬剤を異なる薬効を発揮するものとすれば、異なる薬効を発揮する簡易薬剤揮散器とすることができる。
【００５３】
請求項２に係る発明によれば、補助薬剤２を取外した状態で、主薬剤揮散器１の補助薬剤挿入用穴１０ａから補助薬剤収容用凹陥部２２に薬剤を供給することで、その薬剤保持体２０に薬剤を保持できる。
よって、主薬剤揮散器１の製造時や、使用後に、薬剤保持体２０に薬剤を簡単に保持することができるので、その薬剤保持体２０を繰り返して使用することができる。
【００５４】
請求項３に係る発明によれば、補助薬剤２の薬剤保持体４０は主薬剤揮散器１の薬剤保持体２０とともに重合形状、立体形状に折り畳み、拡開するので、運搬・保管時などには各薬剤保持体２０，４０を重合形状として全体をコンパクトにできるし、使用時には各薬剤保持体２０，４０を立体形状として空気の接する面積を大とし、スムーズに薬剤を自然に気中に揮散することができる。
【００５５】
請求項４に係る発明によれば、補助薬剤２が薬効を有する製剤単体２ａより成るので、主薬剤揮散器１に簡単に取付けできるし、小型コンパクトな補助薬剤２でありながら薬効継続時間を長くすることができる。
【００５６】
請求項５に係る発明によれば、補助薬剤２が吸液芯６１を有する容器６０で、薬剤の揮散状況が容器６０内の薬剤の減少状態で目視で確認できる。
【図面の簡単な説明】
【図１】本発明の第１の実施の形態を示す簡易型薬剤揮散器の分解斜視図である。
【図２】簡易型薬剤揮散器の断面図である。
【図３】使用状態の断面図である。
【図４】図１のＡ−Ａ拡大断面図である。
【図５】主薬剤揮散器の薬剤保持体に薬剤を供給する状態を示す正面図である。
【図６】本発明の第２の実施の形態を示す簡易型薬剤揮散器の斜視図である。
【図７】補助薬剤の取付部分を拡大した断面図である。
【図８】使用状態の断面図である。
【図９】本発明の第３の実施の形態を示す簡易型薬剤揮散器の使用状態の断面図である。
【符号の説明】
１…主薬剤揮散器、２…補助薬剤、１０…支持体、１０ａ…補助薬剤挿入用穴、１１…第１板状体、１２…第２板状体、１３…折り曲げ用連結片、２０…薬剤保持体、２１…セル、２２…補助薬剤収容用凹陥部、３０…取付体、３１…第１板状体、３２…第２板状体、３３…折り曲げ用連結片、４０…薬剤保持体、４１…セル、６０…容器、６１…吸液芯。
【図１】
2005006999.tif 000003
【図２】
2005006999.tif 000004
【図３】
2005006999.tif 000005
【図４】
2005006999.tif 000006
【図５】
2005006999.tif 000007
【図６】
2005006999.tif 000008
【図７】
2005006999.tif 000009
【図８】
2005006999.tif 000010
【図９】
2005006999.tif 000011